(57)【特許請求の範囲】
【請求項１】
発信側の携帯無線端末と、着信側の携帯無線端末と、これら両端末間を接続制御する移動通信用の交換機と、この交換機に接続され加入者データを保持するホームロケーションレジスタと、前記着信側の携帯無線端末に着信不可の場合前記交換機によって起動され前記ホームロケーションレジスタを参照して予め登録した着信不可時の通知先メールアドレスを抽出しこの通知先に対しこのときの発信番号および着信時刻をメールによって通知するメールサーバとを有する着信通知システムであって、
前記交換機は、着信不可時の通知サービスを保有している加入者の情報を保持しておくための呼制御メモリと、着信側の携帯無線端末に着信不可の場合その理由が圏外，電源オフおよび無応答のいずれであるかを判定する着信状態判定部と、着信側の携帯無線端末に対し通知適用区分を示す着信通知条件，着信不可時における通知先メールアドレスの登録ならびに交換機の接続解放処理の際に前記呼制御メモリを参照しこのメモリに読み込まれた前記着信通知条件，前記着信状態判定部の判定結果，当該着信加入者における通知サービス付与の有無を確認し着信通知制御を行う着信通知設定制御部と、前記着信通知設定制御部から発信加入者および着信加入者の番号を受信し、着信側の携帯端末が圏外／電源オフあるいは無応答のときで前記着信通知条件が無条件通知である場合に直ちに前記メールサーバに対し着信通知要求を行う着信通知要求部とを備え、
前記ホームロケーションレジスタは、前記交換機を介し加入者の設定操作により通知サービスを保有する加入者ごとに前記着信通知条件および通知先メールアドレスを加入者データとして登録するメールアドレス・通知条件登録部と、発信加入者のダイヤルした着信番号を前記交換機を介して受信し加入者データに登録すると共にメールアドレス変換用に前記メールサーバを介し着信番号を受信する着信番号受信部と、この受信した着信番号から加入者データを検索して通知先メールアドレスに変換する着番／メールアドレス変換部と、前記着番／メールアドレス変換部によって変換された結果を出力する変換結果送信部とを備え、
前記メールサーバは、前記交換機を介し着信番号を受信する着信番号受信部と、着信番号をメールアドレスに変換するための要求を行う変換要求部と、前記ホームロケーションレジスタが変換出力した結果を受信する変換結果受信部と、前記変換結果受信部が受信した情報から通知先メールアドレスを抽出するメールアドレス抽出部と、この抽出した通知先メールアドレスと共に着信不可時の発信番号および着信時刻を付加してメール情報を編集するメール編集部と、前記メール編集部が編集したメールを通知先メールアドレスを有する端末装置に送信するメール送信部とを備えることを特徴とする着信通知システム。
【請求項２】
前記端末装置は、携帯無線端末あるいは通信機能付き情報処理端末であることを特徴とする請求項１記載の着信通知システム。
【請求項３】
着信番号からメールアドレスへの変換データの格納手段およびその検索手段を前記メールサーバに備えることを特徴とする請求項１記載の着信通知システム。
【請求項４】
発信側の携帯無線端末と、着信側の携帯無線端末と、これら両端末間を接続制御する移動通信用の交換機と、この交換機に接続され加入者データを保持するホームロケーションレジスタと、前記着信側の携帯無線端末に着信不可の場合前記交換機によって起動され前記ホームロケーションレジスタを参照して予め登録した着信不可時の通知先メールアドレスを抽出しこの通知先に対しこのときの発信番号および着信時刻をメールによって通知するメールサーバとを備えるシステムにおける着信通知方法であって、
着信側の携帯端末が圏外／電源オフあるいは無応答のとき、前記交換機の接続解放処理の際に、予め登録された着信側の携帯無線端末に対し通知適用区分を示す着信通知条件を参照し、無条件で通知する場合には直ちに前記メールサーバに対し着信番号および発信番号と共に着信通知要求を送信し、
着信加入者の着信状態を判定し、圏外あるいは電源オフの状態である場合に通知サービスが登録してあれば、前記メールサーバに対し着信番号および発信番号と共に着信通知要求を送信し、
前記メールサーバでは、前記ホームロケーションレジスタを起動し受信した着信番号から予め登録した通知先メールアドレスの変換を行わせ、その結果を受信し、着信不可時の発信番号および着信時刻を付加してメール情報を編集し、入手した通知先メールアドレスの端末装置宛にメール送信することを特徴とする着信通知方法。
【請求項５】
着信通知条件として無条件で通知するかおよび着信側の携帯無線端末の状態が圏外，電源オフの場合に通知するかのいずれかに設定することを特徴とする請求項４記載の着信通知方法。
【請求項６】
着信通知条件の登録は、加入者設定により任意に行うことを特徴とする請求項５記載の着信通知方法。
【発明の詳細な説明】
【０００１】
【発明の属する技術分野】
本発明は着信通知システムおよび着信通知方法に関し、特に携帯無線端末に対する着信不可時の着信通知システムおよび着信通知方法に関する。
【０００２】
【従来の技術】
従来、この種の着信通知方式として例えば特開平６−１６５２４７号公報には、移動端末機が圏外に位置するかまたは電源オフされているときにその移動端末機に着信があった場合、交換機は発呼者にこの移動端末機の応答不能を通知すると共に、発呼者の電話番号と着信時刻を記憶しておき、当該の移動端末機が圏内に戻るかあるいは電源投入により、位置登録処理が実行されたとき、交換機は記憶しておいた発呼者の電話番号と着信時刻とを読み出し当該の移動端末機に対しメールにより通知する技術が開示されている。これにより、発呼者および着信対象の移動端末機の双方共に一切の操作を不要とし、確認操作し忘れによる着信情報の非通知を防止している。
【０００３】
【発明が解決しようとする課題】
上述した従来の着信通知方式では、着信不可時の通知先が当該の移動端末機（携帯無線端末）に限定され、また着信通知を行う条件も圏外や電源オフとしている。したがって、携帯無線端末を家に忘れたときなど、家に戻るまでその着信を確認することができず、使い勝手が極めて悪いという問題がある。
本発明の目的は、携帯無線端末に対する着信不可時、その状態が圏外や電源オフだけでなく無応答のような場合でも、この端末保有者の指定により当該の携帯無線端末を含め任意の通信機能付き情報端末に、着信通知を行うことが可能な着信通知システムおよび着信通知方法を提供することにある。
【０００５】
【課題を解決するための手段】
本発明の着信通知システムは、発信側の携帯無線端末と、着信側の携帯無線端末と、これら両端末間を接続制御する移動通信用の交換機と、この交換機に接続され加入者データを保持するホームロケーションレジスタと、前記着信側の携帯無線端末に着信不可の場合前記交換機によって起動され前記ホームロケーションレジスタを参照して予め登録した着信不可時の通知先メールアドレスを抽出しこの通知先に対しこのときの発信番号および着信時刻をメールによって通知するメールサーバとを有する着信通知システムであって、前記交換機は、着信不可時の通知サービスを保有している加入者の情報を保持しておくための呼制御メモリと、着信側の携帯無線端末に着信不可の場合その理由が圏外，電源オフおよび無応答のいずれであるかを判定する着信状態判定部と、着信側の携帯無線端末に対し通知適用区分を示す着信通知条件，着信不可時における通知先メールアドレスの登録ならびに交換機の接続解放処理の際に前記呼制御メモリを参照しこのメモリに読み込まれた前記着信通知条件，前記着信状態判定部の判定結果，当該着信加入者における通知サービス付与の有無を確認し着信通知制御を行う着信通知設定制御部と、前記着信通知設定制御部から発信加入者および着信加入者の番号を受信し、着信側の携帯端末が圏外／電源オフあるいは無応答のときで前記着信通知条件が無条件通知である場合に直ちに前記メールサーバに対し着信通知要求を行う着信通知要求部とを備え、前記ホームロケーションレジスタは、前記交換機を介し加入者の設定操作により通知サービスを保有する加入者ごとに前記着信通知条件および通知先メールアドレスを加入者データとして登録するメールアドレス・通知条件登録部と、発信加入者のダイヤルした着信番号を前記交換機を介して受信し加入者データに登録すると共にメールアドレス変換用に前記メールサーバを介し着信番号を受信する着信番号受信部と、この受信した着信番号から加入者データを検索して通知先メールアドレスに変換する着番／メールアドレス変換部と、前記着番／メールアドレス変換部によって変換された結果を出力する変換結果送信部とを備え、前記メールサーバは、前記交換機を介し着信番号を受信する着信番号受信部と、着信番号をメールアドレスに変換するための要求を行う変換要求部と、前記ホームロケーションレジスタが変換出力した結果を受信する変換結果受信部と、前記変換結果受信部が受信した情報から通知先メールアドレスを抽出するメールアドレス抽出部と、この抽出した通知先メールアドレスと共に着信不可時の発信番号および着信時刻を付加してメール情報を編集するメール編集部と、前記メール編集部が編集したメールを通知先メールアドレスを有する端末装置に送信するメール送信部とを備える。
【０００７】
本発明の着信通知方法は、発信側の携帯無線端末と、着信側の携帯無線端末と、これら両端末間を接続制御する移動通信用の交換機と、この交換機に接続され加入者データを保持するホームロケーションレジスタと、前記着信側の携帯無線端末に着信不可の場合前記交換機によって起動され前記ホームロケーションレジスタを参照して予め登録した着信不可時の通知先メールアドレスを抽出しこの通知先に対しこのときの発信番号および着信時刻をメールによって通知するメールサーバとを備えるシステムにおける着信通知方法であって、着信側の携帯端末が圏外／電源オフあるいは無応答のとき、前記交換機の接続解放処理の際に、予め登録された着信側の携帯無線端末に対し通知適用区分を示す着信通知条件を参照し、無条件で通知する場合には直ちに前記メールサーバに対し着信番号および発信番号と共に着信通知要求を送信し、着信加入者の着信状態を判定し、圏外あるいは電源オフの状態である場合に通知サービスが登録してあれば、前記メールサーバに対し着信番号および発信番号と共に着信通知要求を送信し、前記メールサーバでは、前記ホームロケーションレジスタを起動し受信した着信番号から予め登録した通知先メールアドレスの変換を行わせ、その結果を受信し、着信不可時の発信番号および着信時刻を付加してメール情報を編集し、入手した通知先メールアドレスの端末装置宛にメール送信する。着信通知条件として無条件で通知するかおよび着信側の携帯無線端末の状態が圏外、電源オフの場合に通知するかのいずれかに設定する構成であり、着信通知条件の登録は、加入者設定により任意に行う。
【０００８】
【発明の実施の形態】
次に、本発明の実施の形態について図面を参照して説明する。
【０００９】
図１を参照すると、発信側の携帯電話機１と、基地局２と、着信側の携帯電話機７と、これら携帯電話機１，７間を接続制御する移動通信用の交換機３と、この交換機３に接続され加入者データを保持するホームロケーションレジスタ（Ｈｏｍｅ  Ｌｏｃａｔｉｏｎ  Ｒｅｇｉｓｔｅｒ：以降ＨＬＲと略称）４と、着信側の携帯電話機７に着信不可の場合交換機３によって起動されＨＬＲ４を参照して予め登録した着信不可時の通知先メールアドレスを抽出しこの通知先に対しこのときの発信番号および着信時刻をメールによって通知するメールサーバ５とを有する着信通知システムが示されている。パソコン８は携帯電話機７によって指定されたこの携帯電話機７の着信不可時における通知先の通信機能付き情報端末である。
【００１０】
交換機３は、着信不可時の通知サービスを保有している加入者の情報を保持しておくための呼制御メモリ３１と、中央制御部（制御手段に相当）３２とを備える。中央制御部３２は、着信状態判定部３２１と、着信通知要求部３２２と、着信通知設定制御部３２３とを備えて構成される。
【００１１】
着信状態判定部３２１は、着信側の携帯電話機７に着信不可の場合その理由が圏外，電源オフおよび無応答のいずれであるかを判定する。着信通知設定制御部３２３は、着信側の携帯電話機７に対し通知適用区分を示す着信通知条件，着信不可時における通知先メールアドレスの登録ならびに交換機３の接続解放処理の際に呼制御メモリ３１を参照しこのメモリに読み込まれた着信通知条件，着信状態判定部３２１の判定結果，当該着信加入者における通知サービス付与の有無を確認し着信通知制御を行う。着信通知要求部３２２は、着信通知設定制御部３２３から発信加入者および着信加入者の番号を受信しメールサーバ５に対し着信通知要求を行う。
【００１２】
ＨＬＲ４は、メールアドレス・通知条件登録部４１と、着信番号受信部４２と、着番／メールアドレス変換部４３と、変換結果送信部４４とを備える。メールアドレス・通知条件登録部４１は、交換機３を介し加入者の設定操作により通知サービスを保有する加入者ごとに着信通知条件および通知先メールアドレスを加入者データとして登録する。着信番号受信部４２は、発信加入者のダイヤルした着信番号を交換機３を介して受信し加入者データに登録すると共にメールアドレス変換用にメールサーバ５を介し着信番号を受信する。着番／メールアドレス変換部４３は、この受信した着信番号から加入者データを検索して通知先メールアドレスに変換する。変換結果送信部４４は、着番／メールアドレス変換部４３によって変換された結果を出力する。
【００１３】
メールサーバ５は、着信番号受信部５１と、変換要求部５２と、変換結果受信部５３と、メールアドレス抽出部５４と、メール編集部５５と、メール送信部５６とを備える。着信番号受信部５１は交換機３を介し着信番号を受信する。変換要求部５２は着信番号をメールアドレスに変換するための要求を行う。変換結果受信部５３はＨＬＲ４が変換出力した結果を受信する。メールアドレス抽出部５４は変換結果受信部５３が受信した情報から通知先メールアドレスを抽出する。メール編集部５５は、抽出された通知先メールアドレスと共に着信不可時交換機３が記憶しておいた発信番号および着信時刻を付加してメール情報を編集する。メール送信部５６は、メール編集部５５が編集したメールを通知先メールアドレスを有する端末装置の一例であるパソコン８にネットワーク６を介して送信する。
【００１４】
図２は本発明の着信通知方法の手順を示すフローチャートである。以下に図１および図２を参照して本実施の形態の動作を説明する。
【００１５】
図１において、発信側の携帯電話機１の加入者が着信側の携帯電話機７の加入者を呼び出した場合、交換機３はダイヤル番号（着信側の携帯電話機７の番号）を元にＨＬＲ４へメール着信通知サービスを持っているか否かを問い合わせる。ＨＬＲ４ではダイヤル番号を元に加入者データを検索しメール着信通知サービスを保有しているかどうかを交換機３へ報告する。交換機３ではその情報を呼情報メモリ３１内に設定し保持する。
【００１６】
着信側の携帯電話機７が着信不可状態または、着信加入者の応答なしで発信加入者が切断した場合、交換機３は着信加入者状態によりメールサーバ５へメール着信通知要求を行うとともに、発信側の携帯電話機１に対しアナウンスまたは予め定めたトーンを接続する。着信加入者の応答なしでの発信加入者切断の場合は発信加入者を解放する。
【００１７】
次に、図２を参照して動作の詳細を説明する。交換機では、接続過程において着信側の携帯電話機が圏外／電源オフあるいは無応答のときには解放処理を行い（図２のステップ１：Ｓ１と呼称、以下同様）、予め登録された着信側の携帯電話機に対し通知適用区分を示す着信通知条件が無条件通知であるか否かを確認する（Ｓ２）。無条件通知の場合には直ちにメールサーバへメール着信通知要求を行い（Ｓ５）、無条件通知でない場合には着信不可の理由をチェックし圏外、電源オフなどの着信不可状態ならば（Ｓ３）、通知サービス付与の有無を確認し（Ｓ４）、付与されていればメールサーバへメール着信通知要求を行う（Ｓ５）。Ｓ４の処理において着信側の携帯電話機７がメール着信通知サービスを保有しているか否かは呼情報メモリ内をチェックすることにより行う。
【００１８】
メール着信通知要求では、発信側の携帯電話機１および着信側の携帯電話機７の電話番号をメールサーバへ報告する。このとき、発信側の携帯電話機１に対しアナウンスまたはトーンを接続する。Ｓ３の処理で、着信側の携帯電話機の応答なしでの発信側の携帯電話機切断の場合は発信加入者を解放する（Ｓ６）。
【００１９】
メールサーバでは、メールの送信要求を受信するとその中に含まれる着信加入者の電話番号によりＨＬＲに対し電話番号からメールアドレスへの変換要求を行う。すなわち、メール着信通知要求および着信加入者２０の電話番号をもとにＨＬＲへ電話番号からメールアドレスへの変換要求を行い（Ｓ１１）、変換結果を受信し（Ｓ１２）、この受信したメールアドレスのチェックを行う（Ｓ１３）。メールアドレスが登録されていた場合には、交換機から受信した着信不可時の発信番号および着信時刻をメール内容として編集し（Ｓ１４）、登録されている送信先メールアドレスへメールを送信する（Ｓ１５）。
【００２０】
ＨＬＲでは、電話番号からメールアドレスへの変換を行いメールサーバに対しメールアドレスを報告する。すなわち、要求された電話番号より加入者データを検索し登録されているメールアドレスを取り出し（Ｓ２１）、取り出したメールアドレスをメールサーバへ報告する（Ｓ２２）。
【００２１】
以上により、着信不可時の通知先メールアドレスが着信側の携帯電話機のアドレスの場合は、この携帯電話機が着信不可状態から復旧したとき、加入者がメールをチェックすることによりその間の着信を知ることが可能となる。また、メールアドレスがその他のアドレス、例えば勤務先のオフィスにあるパソコンなどの場合は、携帯電話機がその場になくても着信を知ることが可能となる。着信通知条件として無条件で通知するかおよび着信側の携帯無線端末の状態が圏外，電源オフの場合に通知するかのいずれかに設定する。この着信通知条件の登録は、加入者設定により任意に行う。
【００２２】
上述した実施の形態では通知先のメールアドレスはＨＬＲにて管理し、メールサーバはメール送信時ＨＬＲへメールアドレスを問い合わせることにより送信先アドレスを知るように構成しているが、携帯電話番号からメールアドレスへの変換データおよび検索機能をメールサーバ側に持たすことにより、メール送信時のメールアドレス変換のためのメールサーバからＨＬＲへのアクセスを行う必要がなくなり、ネットワークの負荷の軽減が期待できる。
【００２３】
【発明の効果】
以上説明したように本発明によれば、例えばオフィスのパソコンのメールアドレスへ着信通知を行うように設定しておけば、家に携帯無線端末を忘れてきたとき、すなわち携帯無線端末をその場に所持せず、あるいはオフィス内が圏外になるような場合でも携帯無線端末への着信をこのパソコンにより知ることができる。また、着信通知条件および通知先メールアドレスは携帯無線端末およびその他の手法で端末の保有者が任意に設定可能なので、無駄な着信通知を防止することができる。
【図面の簡単な説明】
【図１】本発明の実施の形態の構成を示すブロック図である。
【図２】本発明の実施の形態の動作を説明するための図である。
【符号の説明】
１，７    携帯電話機
２    基地局
３    交換機
４    ＨＬＲ
５    メールサーバ
６    ネットワーク
８    パソコン
３１    呼制御メモリ
３２    中央制御部
４１    メールアドレス・通知条件登録部
４２，５１    着信番号受信部
４３    着番／メールアドレス変換部
４４    変換結果送信部
５２    変換要求部
５３    変換結果受信部
５４    メールアドレス抽出部
５５    メール編集部
５６    メール送信部
３２１    着信状態判定部
３２２    着信通知要求部
３２３    着信通知設定制御部
【図１】
0003934466.tif 000002
【図２】
0003934466.tif 000003